(57)【要約】【課題】締付けバンドを係止バックルにワンタッチ動作で締結して配管に対する締結作業を安全で便利に行える配管結束用バンドクリップを提供する。【解決手段】本発明の配管結束用バンドクリップは、一側の締結端部の内側に緩やかに挿入ガイド部が形成され、反対側の固定折曲端部に一定高さのバンド巻付仕上げ突条が突出される締付けバンドと、前記締付けバンドの固定折曲端部の底面に圧着固定されるもので、前記締付けバンドの締結端部が通過して定着するように、中央部の両側にバンド締結通過端部が突出して互いに内側に折り曲げられ、外側端部には、前記バンド締結通過端部を通過して反対方向に折り曲げられる前記締付けバンドに対して両側でそれぞれ折り曲げられて圧着固定するように、一定高さのバンド締結仕上げ突部が突設される係止バックルとを含んでなることを特徴とする。【選択図】図１
2010503809.tif 000002
【特許請求の範囲】
【請求項１】
一側の締結端部１１の内側に緩やかに挿入ガイド部１２が形成され、反対側の固定折曲端部１４に一定高さのバンド巻付仕上げ突条１５が突出される締付けバンド１０と；
前記締付けバンドの固定折曲端部１４の底面に圧着固定されるもので、前記締付けバンドの締結端部１１が通過して定着するように、中央部の両側にバンド締結通過端部２２が突出して互いに内側に折り曲げられ、外側端部には、前記バンド締結通過端部２２を通過して反対方向に折り曲げられる前記締付けバンド１０に対して両側でそれぞれ折り曲げられて圧着固定するように、一定高さのバンド締結仕上げ突部２１が突設される係止バックル２０と；を含んでなることを特徴とする配管結束用バンドクリップ。
【請求項２】
前記締付けバンド１０が、係止バックル２０に対して圧着固定されるように、バンド巻付仕上げ突条１５を基準として固定折曲端部１４の両側にバックル締結孔１６が貫設され、前記係止バックル２０が、バンド固定本体２４の両側に、前記締付けバンドのバックル締結孔１６に挿入されるバンド定着突起２３が突設されたことを特徴とする請求項１に記載の配管結束用バンドクリップ。
【請求項３】
前記締付けバンド１０が、締結端部１１側に緩やかに湾曲した挿入ガイド部１２の中央にプレス作業によって補強突条１２が長手方向に突設されたことを特徴とする請求項１に記載の配管結束用バンドクリップ。
【請求項４】
前記係止バックル２０のバンド締結通過端部２２が、外側のバンド定着突起２３の位置する一側より締付けバンドのバンド巻付仕上げ突条１５の位置する他側で、相対的に高く突出して斜めに形成されたことを特徴とする請求項１に記載の配管結束用バンドクリップ。
【請求項５】
一側の締結端部１１の内側に挿入ガイド部１２が形成され、反対側の固定折曲端部１４には一定高さのバンド巻付仕上げ突条１５が突出し、前記固定折曲端部１４の中央に係止固定突起１７が上向きに突出し、前記挿入ガイド部１２の内側のバンド本体１９には、前記係止固定突起１７に最初に係止固定される多数の係止孔１８が形成された締付けバンド１０と；
前記締付けバンド１０の固定折曲端部１４の底面に圧着固定され、中央部の両側に突出したバンド締結通過端部２２がそれぞれ内側に折り曲げられ、前記バンド締結通過端部２２を通過した前記締付けバンド１０のバンド本体１９が反対方向に折り曲げられて最後に締結固定されるように、端部両側で一定高さに突出したバンド締結仕上げ突部２１の内側にそれぞれ締結固定突起２６が形成された係止バックル２０と；を含んでなることを特徴とする二重締結型配管結束用バンドクリップ。
【請求項６】
前記締付けバンド１０が、締結端部１１側に緩やかに湾曲した挿入ガイド部１２の中央にプレス作業によって補強突条１２が長手方向に突設され、前記挿入ガイド部１２の内側にバンド本体１９に一定間隔で多数形成される係止孔１８が、固定折曲端部１４の上向きに突出した係止固定突起１７に易しく係合されるが離脱は抑制されるように、“Ｄ”字形に切除されて形成されたことを特徴とする請求項５に記載の二重締結型配管結束用バンドクリップ。
【請求項７】
前記係止バックル２０が、両側にそれぞれ一定高さに突出して折り曲げられたバンド締結通過端部２２をバンド締結仕上げ突部２１の反対側に上向きに斜めに形成し、両側の前記バンド締結通過端部２２が、締付けバンド１０の挿入ガイド部１２の中央に突設された補強突条１２と同様に、それぞれ両側にプレス作業によって強度補強突起２５を突設することを特徴とする請求項５に記載の二重締結型配管結束用バンドクリップ。
【発明の詳細な説明】
【技術分野】
【０００１】
本発明は配管に締結されて固定される配管結束用バンドクリップに係り、より詳しくは通常締付けバンドと係止バックルでなるバンドクリップを配管に結束固定させるとき、係止バックルの孔に締付けバンドを挿入させる煩わしくて難しい動作なしに、締結部位が緩やかに湾曲した締付けバンドを係止バックルに当ててから簡単に引っぱるワンタッチ動作で配管に対する締結作業を安全で便利に行えるようにした配管結束用バンドクリップに関するものである。
【背景技術】
【０００２】
各種の配管及びホースなどの連結及び結束のために、多様なバンドクリップが使用されている。基本的に、バンドクリップは、配管またはホースなどの対象物に締結されるバンド部と前記バンド部を引っぱって結束固定させるバックル部との組合せでなる。
一例として、配管の外側を保温内皮及び保護外皮で保護するために、前記保温内皮と保護外皮を配管に締結するためには、これらの保温内皮と保護外皮が結合された配管に対して一定間隔でバンドクリップを締結して結束固定することになる。
【０００３】
これまで、主に使用されてきた配管保護ジャケット結束用バンドクリップは、図２１〜図２３に示すように、まず締付けバンド１３０を、保温内皮１４２と保護外皮１４４が結合された配管１４０の外周に巻き付け、前記締付けバンド１３０の一側端部である締結端部１３２を他端部が一体に結合されている係止バックル１２０のバンド挿入部１２８に差し込んでから引っぱった後、再び前記バンド挿入部１２８を基準として前記締付けバンド１３０の締結端部１３２を反対側に折り曲げ、前記締結端部１３２に対して両側で突出しているバンド固定部１２２を直角に折り曲げてから圧着させることで、配管１４０に対してバンドクリップ１１０を締結固定するようにしている。
【０００４】
ところで、前述した既存のバンドクリップ１１０は、締結動作の際、締付けバンド１３０の一側端部である締結端部１３２を係止バックル１２０のバンド挿入部１２８内に差し込んでから引っぱるためには、作業者が通常片手で前記係止バックル１２０を握り、他手では前記締付けバンド１３０の締結端部１３２を掴んで結束作業を行うしかなかったが、これは係止バックル１２０のバンド挿入部１２８内に締付けバンド１３０の締結端部１３２を差し込む挿入作業に相当な注意と煩わしさを伴うため、多数のバンドクリップの締結作業を行うとき、その締結作業数に比例して作業者の疲れが増え、作業性も落ちる問題点がある。
【０００５】
また、締付けバンド１３０の他端部である固定折曲端部１３６に対して両側に折り曲げられて一体的に結合された係止バックル１２０の底部が、図２２に示すように、バンド挿入部１２８を介して締付けバンド１３０の締結端部１３２を引っぱってから反対側に折り曲げるとき、構造的に広がりやすいため、製品の耐久性が落ちるだけでなく、作業者が手に刺し傷を受けるなどの安全事故も発生する不便さもあった。
【発明の概要】
【発明が解決しようとする課題】
【０００６】
したがって、本発明は、締付けバンドと係止バックルとから構成されるバンドクリップを配管に対して締結固定させるとき、係止バックルの孔に締付けバンドを挿入する必要なしに、締結部位が内側に湾曲した締付けバンドを係止バックルの切欠突出部位に当てて簡単に引っぱって締結固定させるようにすることにより、劣悪な作業環境でも配管に対する締結作業を容易にかつ安全に実施することができる配管結束用バンドクリップを提供することを目的とする。
また、本発明は、バンドクリップが配管に巻かれ、バンドクリップの係止バックルに締付けバンドが通過して係止固定突起によって最初に係止固定され、さらに締結固定突起によって最後に締結固定されるので、別途の手工具の使用なしにも締付けバンドを係止バックルに対して容易に安定した締結状態に二重結合する配管結束用バンドクリップを提供することを他の目的とする。
【課題を解決するための手段】
【０００７】
上記目的を達成するために、本発明の配管結束用バンドクリップは、一側の締結端部の内側に緩やかに挿入ガイド部が形成され、反対側の固定折曲端部に一定高さのバンド巻付仕上げ突条が突出される締付けバンドと；前記締付けバンドの固定折曲端部の底面に圧着固定されるもので、前記締付けバンドの締結端部が通過して定着するように、中央部の両側にバンド締結通過端部が突出して互いに内側に折り曲げられ、外側端部には、前記バンド締結通過端部を通過して反対方向に折り曲げられる前記締付けバンドに対して両側でそれぞれ折り曲げられて圧着固定するように、一定高さのバンド締結仕上げ突部が突設される係止バックルと；を含んでなることを特徴とする。
【０００８】
前記締付けバンドは、係止バックルに対して圧着固定されるように、バンド巻付仕上げ突条を基準として固定折曲端部の両側にバックル締結孔が貫設され、前記係止バックルは、バンド固定本体の両側に、前記締付けバンドのバックル締結孔に挿入されるバンド定着突起が突設されている。
【０００９】
前記締付けバンドは、締結端部側に緩やかに湾曲した挿入ガイド部の中央にプレス作業によって補強突条を長手方向に突設することができる。
前記係止バックルのバンド締結通過端部は、外側のバンド定着突起が位置する一側より締付けバンドのバンド巻付仕上げ突条が位置する他側を相対的に高く突出して斜めに形成することができる。
【００１０】
また、本発明の二重締結型配管結束用バンドクリップは、一側の締結端部１１の内側に挿入ガイド部が形成され、反対側の固定折曲端部には一定高さのバンド巻付仕上げ突条が突出し、前記固定折曲端部の中央に係止固定突起が上向きに突出し、前記挿入ガイド部の内側のバンド本体には、前記係止固定突起に最初に係止固定される多数の係止孔が形成された締付けバンドと；前記締付けバンドの固定折曲端部の底面に圧着固定され、中央部の両側に突出したバンド締結通過端部がそれぞれ内側に折り曲げられ、前記バンド締結通過端部を通過した前記締付けバンドのバンド本体が反対方向に折り曲げられて最後に締結固定されるように、端部両側で一定高さに突出したバンド締結仕上げ突部の内側にそれぞれ締結固定突起が形成された係止バックルと；を含んでなることを特徴とする。
【００１１】
前記締付けバンドは、締結端部側に緩やかに湾曲した挿入ガイド部の中央にプレス作業によって補強突条が長手方向に突設され、前記挿入ガイド部の内側にバンド本体に一定間隔で形成される多数の係止孔は、固定折曲端部の上向きに突出した係止固定突起に易しく係合するが、離脱を抑制するように、“Ｄ”字形に切除されて形成することができる。
【００１２】
前記係止バックルは、両側にそれぞれ一定高さに突出して折り曲げられたバンド締結通過端部がバンド締結仕上げ突部の反対側に上向きに斜めに形成され、両側の前記バンド締結通過端部は、締付けバンドの挿入ガイド部の中央に突設された補強突条と同様に、それぞれ両側にプレス作業によって強度補強突起を突設することができる。
【発明の効果】
【００１３】
以上のように、本発明の配管結束用バンドクリップによれば、通常締付けバンドと係止バックルとから構成されるバンドクリップを配管に対して締結固定するとき、係止バックルの孔に締付けバンドを挿入させる煩わしくて難しい動作なしに、簡単に締付けバンドを係止バックルに当てて引っぱるワンタッチ動作だけで締結作業を容易に実施することができる。特に、梯子に乗るかあるいは配管に昇って作業するなどの劣悪な環境において、場合によっては片手でも本発明のバンドクリップを配管に締結することができるので、既存の配管クリップでは期待できない作業性及び安全性などの効果を提供することができる。
【００１４】
また、既存のバンドクリップは、締付けバンドと係止バックルを別に製作し、現場で配管の規格に合わせて前記締付けバンドを任意の長さに切断し、これを係止バックルと結合させて使っているが、通常配管の規格によって締付けバンドの長さが設定できるが、本発明のバンドクリップは、配管規格に合う締付けバンドを予め係止バックルと結合させた完成製品の状態で簡便に使用することができるので、経済性を画期的に高めることができる。
さらに、本発明のバンドクリップを配管に巻き、係止バックルに締付けバンドが通過しながら最初に係止固定され、さらに反対方向に最後に締結固定されるので、別の手工具の使用なしにも、締付けバンドを係止バックルに易しくて安定に二重結合して、安定で確かな締結状態を提供することができる。
【図面の簡単な説明】
【００１５】
【図１】本発明の実施形態である配管結束用バンドクリップの斜視図である。
【図２】本発明の実施形態であるバンドクリップを構成する締付けバンドの斜視図である。
【図３】本発明の実施形態であるバンドクリップを構成する係止バックルの折曲状態と展開状態を示す斜視図である。
【図４】本発明の実施形態であるバンドクリップを構成する係止バックルの折曲状態と展開状態を示す斜視図である。
【図５】本発明の実施形態であるバンドクリップを配管に締結し、ワンタッチで締結固定する使用状態を示す図である。
【図６】本発明の実施形態であるバンドクリップを配管に締結し、ワンタッチで締結固定する使用状態を示す図である。
【図７】本発明の実施形態であるバンドクリップを配管に締結し、ワンタッチで締結固定する使用状態を示す図である。
【図８】本発明の実施形態であるバンドクリップを配管に締結し、ワンタッチで締結固定する使用状態を示す図である。
【図９】本発明の実施形態であるバンドクリップを配管に締結し、ワンタッチで締結固定する使用状態を示す図である。
【図１０】本発明の実施形態であるバンドクリップを配管に締結し、バンドクリップの締結端部をロングノーズプライヤーで巻いて仕上げ処理する使用状態を示す図である。
【図１１】本発明の実施形態であるバンドクリップを配管に締結し、バンドクリップの締結端部をロングノーズプライヤーで巻いて仕上げ処理する使用状態を示す図である。
【図１２】本発明の実施形態であるバンドクリップを配管に締結し、バンドクリップの締結端部をロングノーズプライヤーで巻いて仕上げ処理する使用状態を示す図である。
【図１３】本発明の他の実施形態である配管結束用バンドクリップを構成する締付けバンドの斜視図である。
【図１４】本発明の他の実施形態であるバンドクリップを構成する係止バックルの展開状態と折曲状態を示す斜視図である。
【図１５】本発明の他の実施形態であるバンドクリップを構成する係止バックルの展開状態と折曲状態を示す斜視図である。
【図１６】本発明の他の実施形態であるバンドクリップを配管に巻き、バンドクリップの係止バックルに締付けバンドが通過して係止固定突起によって最初に係止固定され、さらに締結固定突起によって最後に締結固定される二重結合の使用状態を示す図である。
【図１７】本発明の他の実施形態であるバンドクリップを配管に巻き、バンドクリップの係止バックルに締付けバンドが通過して係止固定突起によって最初に係止固定され、さらに締結固定突起によって最後に締結固定される二重結合の使用状態を示す図である。
【図１８】本発明の他の実施形態であるバンドクリップを配管に巻き、バンドクリップの係止バックルに締付けバンドが通過して係止固定突起によって最初に係止固定され、さらに締結固定突起によって最後に締結固定される二重結合の使用状態を示す図である。
【図１９】本発明の他の実施形態であるバンドクリップを配管に巻き、バンドクリップの係止バックルに締付けバンドが通過して係止固定突起によって最初に係止固定され、さらに締結固定突起によって最後に締結固定される二重結合の使用状態を示す図である。
【図２０】本発明の他の実施形態であるバンドクリップを配管に巻き、バンドクリップの係止バックルに締付けバンドが通過して係止固定突起によって最初に係止固定され、さらに締結固定突起によって最後に締結固定される二重結合の使用状態を示す図である。
【図２１】従来技術によるバンドクリップを配管に巻いて締結する使用状態を示す図である。
【図２２】従来技術によるバンドクリップを配管に巻いて締結する使用状態を示す図である。
【図２３】従来技術によるバンドクリップを配管に巻いて締結する使用状態を示す図である。
【発明を実施するための形態】
【００１６】
本発明の好適な実施例による配管結束用バンドクリップの構成関係及び作用を添図面に基づいて詳細に説明する。本発明のバンドクリップが締結される配管は、通常外側に保温内皮と保護外皮が結合された配管であって、説明の便宜上、これら保温内皮と保護外皮の図面符号は省略する。
【００１７】
図１〜図１２は本発明の実施形態を示すもので、図１は配管結束用バンドクリップを示す図、図２はバンドクリップを構成する締付けバンド１０を詳細に示す図、図３及び図４は本発明のバンドクリップを構成する係止バックル２０を締付けバンド１０に結合させる前の展開状態と折曲状態をそれぞれ示す図である。
【００１８】
また、図５〜図９は本発明のバンドクリップの作業状態を示す図であって、本発明のハンドクリップを構成する締付けバンド１０の一側の締結端部１１に緩やかに湾曲形成された挿入ガイド部１２を係止バックル２０の中間で両側に折曲延長されて挿入する隙間が形成されたバンド締結通過端部２２を通して挿入締結し、さらに前記係止バックルのバンド締結通過端部２２を介して前記締付けバンド１０を反対側に引っぱり、前記係止バックルのバンド締結仕上げ突部２１を折曲圧着させることで、配管３０に対する本発明のバンドクリップの締結作業をワンタッチで簡単に実施することができる。
【００１９】
そして、図１０〜図１２は係止バックルのバンド締結通過端部２２を通過した締付けバンドの締結端部１１を一定部分だけ切断し、残りの部分を別のロングノーズプライヤー４０のような工具で巻き付け、前記係止バックル２０のバンド締結通過端部２２の端部に位置するバンド巻付仕上げ突条１５の外側に、図１１のように、仕上げ処理するか、あるいは残り部分を、図１２のように、前記バンド締結通過端部２２の反対側に折曲げて仕上げ処理する変形作業状態を示す図である。
【００２０】
このように、本発明のバンドクリップは、配管３０に対して締結固定させるとき、締付けバンド１０を係止バックル２０の孔に挿入することが難しくなく、簡便に前記係止バックル２０に当てて引っぱるワンタッチ動作だけで締結作業を行うことができるように、前記係止バックル２０の構成が改善され、さらに前記係止バックル２０に対する挿入が容易になるように、前記締付けバンド１０の構成が改善されていることはいうまでもない。
【００２１】
締付けバンド１０は、一側端部である固定折曲端部１４が係止バックル２０のバンド固定本体２４上に一体に結合固定された状態になり、他端部である締結端部１１は、前記係止バックル２０の孔を通して挿入するものではなく、係止バックル２０の中間で両側に一定高さだけ突出してから内側に直角に折り曲げられたバンド締結通過端部２２の間に長手方向に中央隙間を形成する前記バンド締結通過端部２２に対して上下に通過させて長手方向に引っぱることができるように、端部から後方側に一定長さだけ離れた部位に内側に緩やかに湾曲した挿入ガイド部１２が形成される。
すなわち、一側端部である締結端部１１から５ｃｍ程度の内側で緩やかな曲線状に湾曲される。これにより、曲線状に湾曲した挿入ガイド部１２が係止バックル２０のバンド締結通過端部２２の下方に容易に通過してから引き出されることができる。また、５ｃｍ程度の端部は作業者が手で引っぱるのに適した長さであり、必要によってロングノーズプライヤー４０などで巻付けることができる適当な大きさである。
【００２２】
また、締付けバンド１０は、係止バックル２０と互いに圧着固定できるように一定高さだけ折り曲げて突出させた巻付仕上げ突条１５を基準として固定折曲端部１４の両側にバックル締結孔１６が貫設され、前記係止バックル２０のバンド固定本体２４の両側に突設されるバンド定着突起２３に前記締付けバンド１０のバックル締結孔１６が嵌合された後、プレス作業で圧着固定されるようにすることにより、これらの締付けバンドの固定折曲端部１４が前記係止バックルのバンド固定本体２４上に正確で安定に一体に結合されることができる。
特に、本発明の締付けバンド１０は、締結端部１１側に、緩やかに湾曲した挿入ガイド部１２の中央にプレス作業によって補強突条１３が長手方向に突設されることが好ましい。これは、プレス作業によって帯状に幅が狭く形成される本発明の締付けバンド１０の挿入ガイド部１２が使用中に安定した製品形態を維持するとともに、係止バックル２０のバンド締結通過端部２２内に一層簡単で正確に挿通できるようにする。
【００２３】
そして、係止バックル２０は締付けバンド１０の固定折曲端部１４の底面に圧着固定されるもので、その中央部には両側にバンド締結通過端部２２が突設される。このバンド締結通過端部２２は、前記締付けバンドの締結端部１１が通過することができるように、互いに内側に直角に折り曲げられ、外側端部には、前記バンド締結通過端部２２を通過してから反対方向に折り曲げられる前記締付けバンド１０を、両側でそれぞれ折り曲げられて圧着固定するように、一定高さのバンド締結仕上げ突部２１が突設される。
特に、係止バックル２０は、締付けバンド１０のバックル固定締結孔１６を通じて突出しプレス作業で圧着固定されるバンド定着突起２３がバンド固定本体２４の両側中央に突設され、中央には、一定高さだけ突出してそれぞれ直角に折り曲げられ、対向端部の間に一定間隔の隙間が形成され、これに締付けバンド１０の挿入ガイド部１２が縦方向に挿入されて横方向に引っぱられながら通過するバンド締結通過端部２２が形成される。前記バンド締結通過端部２２は、端部側のバンド定着突起２３が位置する一側より締付けバンドのバンド巻付仕上げ突条１５が位置する他側が相対的に高く突出して一定角度に斜めに形成されることが好ましい。
【００２４】
すなわち、係止バックル２０のバンド締結通過端部２２は、端部側のバンド定着突起２３が位置する一側が比較的低い隙間を形成する一方、反対側が相対的に高い隙間を形成することにより、配管の結束作業の際、前記係止バックルのバンド締結通過端部２２の先端側に締付けバンドの挿入ガイド部１２を易しく挿通し、ついで前記締付けバンド１０が一定部分通過した状態で、相対的に高く突出した前記係止バックルのバンド締結通過端部２２の後側部位で反対方向に易しく正確に折り曲げられる構造を有している。
【００２５】
言い換えれば、本発明のバンドクリップを構成する係止バックル２０は、中間部の両側で一定高さだけ突出して直角に折り曲げられるバンド締結通過端部２２の先端部と後端部の突出高さ及び傾斜度が異なることにより、締付けバンド１０が容易に安定して締結できるようにする。特に、先端部に比べて相対的に高く突出した係止バックル２０の後端部には、直下方に一定高さのバンド巻付仕上げ突条１５が位置するとともに先端部と同一間隔の隙間が維持されるので、係止バックル２０の先端部に挿入して後端部に通過した締付けバンド１０の締結端部側が構造的に上方に位置する。その結果、作業者は前記締付けバンドの締結端部１１を掴んで前記係止バックルのバンド締結通過端部２２の後端部を基準として反対側に折り曲げられることができる。
また、ロングノーズプライヤー４０のような別の工具で比較的短く切断し、残った締付けバンド１０の部分を、係止バックル２０のバンド締結仕上げ突部２１側でなく、締付けバンド１０そのものに折曲突設されたバンド巻付仕上げ突条１５を基準として巻付けて仕上げ処理することができる。前記バンド巻付仕上げ突条１５は、一体に結合された係止バックル２０のバンド締結通過端部２２の外側端部と同一線上に位置することにより、美観がよいだけでなく、ロングノーズプライヤー４０による締付けバンド１０の端部の巻付け動作を一層容易で正確に実施することができる。
【００２６】
一方、本発明は、図１３〜図２０に示す他の実施形態のように、より発展した構成として適用することができる。図１３は本発明の配管結束用バンドクリップのうち、ほぼ全長部に当たる締付けバンド１０を示す図であり、図１４及び図１５はバンドクリップのうち、締結部に当たる係止バックル２０の展開状態と折曲状態をそれぞれ示す図である。そして、図１６〜図２０はバンドクリップを配管３０に二重に締結させる作業工程の使用状態を示す図である。
【００２７】
本発明の他の実施形態は、図１３〜図２０に示すように、まずバンドクリップの係止バックル２０を介して締付けバンド１０が通過して、前記締付けバンド１０の端部に突出した係止固定突起１７がバンド本体１９に形成された係止孔１８に最初に係止されて固定され、さらに係止バックル２０の中央部に突出したバンド締結通過端部２５を介して前記バンド本体１９を反対側に引っぱれば、前記係止バックル２０の両端部のバンド締結仕上げ突部２１にそれぞれ内側に突出した締結固定突起２６に前記バンド本体１９が最後に締結固定されるので、別の手工具なしにも作業者が手作業で簡単に配管３０に本発明のバンドクリップを安定的に二重に締結することができる。
【００２８】
すなわち、基本的に本発明のバンドクリップは、配管３０に締結固定するとき、締付けバンド１０を係止バックル２０の孔に挿入させる煩雑さはなく、前記係止バックル２０のバンド締結通過端部２２に対して簡単に引っぱるワンタッチ引き出し動作だけで配管３０に対する締付けバンド１０と係止バックル２０の最初の締結作業（係止固定）を行うことができる。そして、締付けバンド１０の係止バックル２０に対する最初の締結作業がなされた状態で、前記締付けバンド１０のバンド本体１９を前記係止バックル２０のバンド締結通過端部２２の反対側に引っぱれば、前記係止バックル２０の両側バンド締結仕上げ突部２１に前記締付けバンドのバンド本体１９を簡単に最後に締結固定することができる。
【００２９】
締付けバンド１０の一側端部である固定折曲端部１４は係止バックル２０のバンド固定本体２４上に一体に結合固定された状態をなし、反対側の他端部である締結端部１１は、前記係止バックル２０の中間部に両側で一定高さだけ突出してから内側に直角に折り曲げられたバンド締結通過端部２２の孔に挿入されるものではなく、相互間の長手方向中央に隙間を形成する前記バンド締結通過端部２２に対して上から下に通過させて長手方向に引っぱるように、端部から一定長さだけ後方部位で内側に緩やかに湾曲した挿入ガイド部１２が形成される。すなわち、一側端部である締結端部１１から５ｃｍ程度の内側で緩やかに曲線状に湾曲することにより、曲線状に湾曲した挿入ガイド部１２が係止バックル２０のバンド締結通過端部２２の下方に容易に通過して引出しできるようにする。
【００３０】
また、締付けバンド１０は、係止バックル２０と互いに圧着固定できるように、一定高さに折り曲げられて突出したバンド巻付仕上げ突条１５を基準として固定折曲端部１４の両側にバックル締結孔１６が貫設され、前記係止バックル２０のバンド固定本体２４の両側に突設されるバンド定着突起２３に前記締付けバンド１０のバックル締結孔１６が嵌合された後、プレス作業で圧着固定することにより、締付けバンドの固定折曲端部１４を前記係止バックルのバンド固定本体２４上に正確で安定に一体結合することができる。
特に、本発明のバンドクリップに適用される締付けバンド１０は、締結端部１１側に緩やかに湾曲した挿入ガイド部１２の中央にプレス作業によって補強突条１２が長手方向に突設されることが好ましい。すなわち、プレス作業で幅が狭く形成される本発明の締付けバンド１０の挿入ガイド部１２は、使用中に安定した製品形態を維持するとともに、係止バックル２０のバンド締結通過端部２２内に一層簡単で正確に挿通することができる。
【００３１】
また、締付けバンド１０は、挿入ガイド部１２の内側のバンド本体１９に一定間隔で多数の係止孔１８が形成され、バックル締結孔１６が穿設された固定折曲端部１７にも前記係止孔１８が係合される係止固定突起１７が形成され一定角度に上方に突出する。したがって、配管３０に前記締付けバンド１０を巻いた後、係止バックル２０を介して引っぱれば、前記バンド本体１９の係止孔１８が前記固定折曲端部１４の係止固定突起１７に最初に係止されるので、作業者が楽で安全に配管３０に対する締付けバンド１０の追加的な最後の締結作業を構造的に便利に実施することができる。
そして、係止バックル２０は、締付けバンド１０の固定折曲端部１４の底面に圧着固定されるもので、中央には両側にバンド締結通過端部２２が突出し、前記締付けバンドの締結端部１１が通過するように、互いに内側に直角に折り曲げられ、外側端部には、前記バンド締結通過端部２２を通じて最初に係止固定された状態で、再び反対方向に折り曲げられて最後に締結固定される前記締付けバンド１０に対して両側でそれぞれ折り曲げられて圧着固定されるように、一定高さに突出したバンド締結仕上げ突部２１の内側にそれぞれ締結固定突起２６が突設される。
【００３２】
また、係止バックル２０は、締付けバンド１０のバックル固定締結孔１６を通過してからプレス作業で圧着固定されるバンド定着突起２３がバンド固定本体２４の両側中央に突設され、中央両側には一定高さだけ突出してそれぞれ直角に折り曲げられて対面する端部が一定間隔の隙間をなして、締付けバンド１０の挿入ガイド部１２が縦方向に挿入されてから横方向に引っぱられながら通過するバンド締結通過端部２２が形成される。この際、前記バンド締結通過端部２２は外側のバンド定着突起２３が位置する一側より締付けバンドのバンド巻付仕上げ突条１５が位置する他側が相対的に高くなって一定角度に斜めに形成されることが好ましい。
すなわち、係止バックル２０のバンド締結通過端部２２は、外側バンド定着突起２３の一側が比較的低い隙間を形成する一方、反対側の他側が相対的に高い隙間を形成することにより、配管３０に対する本発明の結束作業の際、前記係止バックルのバンド締結通過端部２２の先端部に締付けバンドの挿入ガイド部１２が易しく挿通することができる。この際、固定折曲端部１４に一定角度に突出した係止固定突起１７にバンド本体１９の該当係止孔１８を最初に係止固定することができる。つづいて、前記締付けバンド１０が一定部分通過して最初に係止固定された状態で、相対的に高く突出した前記係止バックルのバンド締結通過端部２２の後端部位に対して反対方向への折曲動作が容易で正確に実施できる構造を有している。
【００３３】
言い換えれば、本発明のバンドクリップを構成する係止バックル２０は、中間両側で一定高さだけ突出して直角に折り曲げられるバンド締結通過端部２２の先端部と後端部の異なる突出高さ及び傾斜の形態によって、締付けバンド１０が容易で安定に締結されるだけでなく、前記締付けバンド１０の端部中間部位に形成された単一の係止固定突起１７と多数の係止孔１８によって、配管３０に対する最後の締結作業に先立って、前記配管３０に対する締付けバンド１０と係止バックル２０間の最初の締結状態とすることができる。
そして、締付けバンド１０に形成された係止固定突起１７と係止孔１８によって最初に締結状態がなされた状態で、作業者は前記締付けバンド１０の締結端部１１を係止バックル２０のバンド締結通過端部２２を介して反対側に引っぱることで、最終的に前記締付けバンド１０の係止バックル２０に対する最後の締結をなすことになる。この際、前記係止バックル２０のバンド締結通過端部２２の前方で両側に突出したバンド締結仕上げ突部２１の締結固定突起２６によって、前記締付けバンド１０のバンド本体１９が手工具なしにもさらに確かに最後に締結された固定状態を維持することができる。
【００３４】
一方、本発明のバンドクリップも、既存のバンドクリップと同様に、ロングノーズプライヤーのような別の手工具を用いて、係止バックルのバンド締結仕上げ突部２１に最終に締結固定された締付けバンドのバンド本体１９に対し、図２０のように、締結状態の維持に不要な部分をきれいに切除することができることはもちろんのことであるが、場合によっては、二重締結の後に残った不要な部分を切除しなくても、配管３０に対して本発明のバンドクリップが構造的に簡単で安定に締結された状態が維持できる。
また、本発明のバンドクリップに適用される締付けバンド１０は、挿入ガイド部１２が緩やかに曲線状に湾曲した一側端部である締結端部１１もやはり緩やかに曲線状に処理されるとともに係止バックル２０のバンド締結仕上げ突部２１も曲線状に仕上げ処理されることが好ましい。これは、作業者の把持動作及び折曲動作の際、構造的な安全性を高める。さらに、既存のバンドクリップにおいて全く適用されなかったバンド締結通過端部２２の傾斜構成は、締付けバンド２０の挿通を容易にするとともに、反対方向へ引っぱるとき、折曲動作がより易しくて安定的になされるようにする。
【００３５】
また、本発明のバンドクリップを構成する締付けバンド１０は、緩やかに湾曲した挿入ガイド部１２の内側にバンド本体１９に一定間隔で係止孔１８が多数形成される。この際、固定折曲端部１４の上向きに突出した係止固定突起１７が易しく挿入締結されるが離脱は抑制されるように、“Ｄ”字形に切除されることが好ましい。さらに、係止バックル２０の長手方向両側中央部に一定高さに形成されるバンド締結通過端部２２には、前記締付けバンド１０の挿入ガイド部１２の中央部に突設された補強突条１２と同様に、それぞれ長手方向に両側にプレス作業で補強突起２５が突設されることが好ましい。これは、他の構成部に比べて変形しやすい切欠形態の前記バンド締結通過端部の欠点である耐久性を構造的に補強することができる。
【産業上の利用可能性】
【００３６】
本発明は、締付けバンドと係止バックルとから構成されるバンドクリップを配管に対して締結固定させるとき、係止バックルの孔に締付けバンドを挿入する必要がなく、締結部位が内側に湾曲した締付けバンドを係止バックルの切欠突出部位に当てて簡単に引っぱって締結固定させるようにすることにより、劣悪な作業環境でも配管に対する締結作業を容易にかつ安全に実施することができる。また、バンドクリップが配管に巻かれ、バンドクリップの係止バックルに締付けバンドが通過して係止固定突起によって最初に係止固定され、さらに締結固定突起によって最後に締結固定されるので、別途の手工具を使用しなくとも締付けバンドを係止バックルに対して容易に安定した締結状態に二重結合させる配管結束用バンドクリップに適用することが可能である。
【符号の説明】
【００３７】
１０    締付けバンド
１１    締結端部
１２    挿入ガイド部
２０    係止バックル
２２    バンド締結通過端部
３０    配管
【図１】
2010503809.tif 000003
【図２】
2010503809.tif 000004
【図３】
2010503809.tif 000005
【図４】
2010503809.tif 000006
【図５】
2010503809.tif 000007
【図６】
2010503809.tif 000008
【図７】
2010503809.tif 000009
【図８】
2010503809.tif 000010
【図９】
2010503809.tif 000011
【図１０】
2010503809.tif 000012
【図１１】
2010503809.tif 000013
【図１２】
2010503809.tif 000014
【図１３】
2010503809.tif 000015
【図１４】
2010503809.tif 000016
【図１５】
2010503809.tif 000017
【図１６】
2010503809.tif 000018
【図１７】
2010503809.tif 000019
【図１８】
2010503809.tif 000020
【図１９】
2010503809.tif 000021
【図２０】
2010503809.tif 000022
【図２１】
2010503809.tif 000023
【図２２】
2010503809.tif 000024
【図２３】
2010503809.tif 000025
【国際調査報告】
2010503809.tif 000026
2010503809.tif 000027